(57)【要約】【課題】運用中に、大型表示装置における不具合な表示ユニットを正確に検出することを可能にする。【解決手段】大型表示装置は、運用データを送出データとして出力すると共にカメラの映像信号からカメラデータを生成する制御装置と、交換可能な表示パネルの集合であり、送出データに基づいて表示を行う大型表示盤と、を有し、送出データを数値化した送出データ輝度値が、送出データに基づいて大型表示盤に表示された表示画面をカメラで撮影した映像信号から生成したカメラデータを数値化したカメラデータ輝度値に画素の許容される不具合を考慮した閾値を加えた範囲外であるときに不具合表示パネルと判定する。これにより、運用中に、不具合表示パネルを正確に特定することができる。【選択図】図２
2015171051.tif 000002
【特許請求の範囲】
【請求項１】
入力される運用データを送出データとして出力すると共に、撮像装置からの映像信号から撮像データを生成する制御装置と、
光の三原色からなる画素により構成された交換可能な表示パネルの集合であり、前記送出データに基づいて表示を行う大型表示盤と、を有し、
前記制御装置は、
前記送出データを数値化した送出データ輝度値が、前記送出データを用いて大型表示盤に表示された表示画面をカメラで撮影した映像信号から生成した撮像データを数値化した撮像データ輝度値に前記画素の許容される不具合を考慮した閾値を加えた範囲外であるときに不具合表示パネルと判定することを特徴とする大型表示装置。
【請求項２】
前記送出データ輝度値を蓄積した送出ロギングデータと、前記撮像データを蓄積した撮像ロギングデータと、に基づいて前記不具合表示パネルの検出を行うことを特徴とする請求項１に記載の大型表示装置。
【請求項３】
請求項１又は２に記載の大型表示装置と、
前記大型表示盤に表示された表示画面を撮影して映像信号を前記制御装置へ出力する撮像装置と、
前記送出データ輝度値及び前記撮像データ輝度値を算出すると共に、前記送出データ輝度値が前記撮像データ輝度値に前記閾値を加えた範囲内であるか否かで、不具合表示パネルを検出するコンピュータと、
前記コンピュータにより検出された不具合表示パネルを確認するモニタと、
を備えることを特徴とする不具合表示パネルの検出システム。
【請求項４】
前記制御装置は、
前記送出データに前記表示パネルを区別する格子目を表示するデータを重畳させる機能を有することを特徴とする請求項３に記載の不具合表示パネルの検出システム。
【請求項５】
送出データの階調値に、光の三原色毎に画像制御のホワイトバランス値と、盤面輝度段階値と、を掛け合わせて送出データ輝度値を算出する第１処理と、
前記送出データを用いて大型表示盤に表示された表示画面を撮像装置で撮影した撮影信号から生成した撮像データの階調値に、前記撮像装置の光の三原色毎のホワイトバランス値と、盤面輝度段階値と、を掛け合わせて撮像データ輝度値を算出する第２処理と、
前記表示パネル内の設定された許容される不具合ドット数に基づいて閾値を算出する第３処理と、
前記送出データ輝度値が、前記撮像データ輝度値に前記閾値を加えた範囲内であるか否かで不具合表示パネルを検出する第４処理と、
を有することを特徴とする不具合表示パネルの検出方法。
【請求項６】
前記送出データに表示パネルを区別する格子目を重畳して表示する第５処理を更に有することを特徴とする請求項５に記載の不具合表示パネルの検出方法。
【請求項７】
送出データの階調値に、光の三原色毎に画像制御のホワイトバランス値と、盤面輝度段階値と、を掛け合わせて運用輝度値を算出する第１処理と、
前記送出データを用いて大型表示盤に表示された表示画面を撮像装置で撮影した映像信号から生成した撮像データの階調値に、光の三原色毎に前記撮像装置のホワイトバランス値と、盤面輝度段階値と、を掛け合わせて撮像データ輝度値を算出する第２処理と、
前記表示パネル内の設定された許容される不具合ドット数に基づいて閾値を算出する第３処理と、
前記送出データ輝度値が、前記撮像データ輝度値に前記閾値を加えた範囲内であるか否かで不具合表示パネルを検出する第４処理と、
をコンピュータに実行させるプログラム。
【発明の詳細な説明】
【技術分野】
【０００１】
本発明は、入力される運用データを送出データとして出力する制御装置と、光の三原色（赤色、緑色、青色）からなる画素により構成された交換可能な表示パネルの集合であり、送出データに基づいて表示を行う大型表示盤と、を有する大型表示装置、不具合表示パネルの検出システム、不具合表示パネルの検出方法及びプログラムに関する。
【背景技術】
【０００２】
野球、サッカー、陸上競技等のスタジアムや、競馬、競輪、競艇等の公営競技場には、試合や競技の結果等を表示する大型表示装置が設定されている。このような大型表示装置は、例えば、赤色発光ダイオード（ＬＥＤ−Ｒ）、緑色発光ダイオード（ＬＥＤ−Ｇ）、青色発光ダイオード（ＬＥＤ−Ｂ）からなる画素が一定間隔で配列された表示パネルを、１５００枚〜３０００枚用いて、試合や競技の結果等を表示している。
【０００３】
関連する技術として、画面全体を交換可能な表示ユニットに細分化して、大型表示装置の分解、組立を容易にできるようにし、必要に応じて分解、移動、組立ができるようにした表示装置及びその周辺装置が提案されている（特許文献１）。
【０００４】
大型表示装置の運用中は、映像表示やデータ表示等スケジュール又は人為的な操作により表示を行うため、不具合表示ユニットの検出は、運用開始前又は運用開始後に限られていた。更に、従来の大型表示装置における不具合表示ユニットの検出は、運用前又は運用終了後に格子目等のテストパターンを表示して不具合箇所を特定するか、ドット不良検出機能を用いて不具合箇所を特定することが一般的であった。
【先行技術文献】
【特許文献】
【０００５】
【特許文献１】特開平９−１２７９１３号公報
【発明の概要】
【発明が解決しようとする課題】
【０００６】
しかしながら、従来の不具合表示パネルの検出方法では、以下のような課題があった。
（ａ）運用中に不点灯の不具合が発生し、直ぐ復旧してしまう温度依存性のある再現性の低い表示パネルの不具合は、運用開始前又は運用開始後の検査では検出できない。
【０００７】
（ｂ）運用中に不具合表示パネルの検出ができないため、運用中に不具合表示パネルの検出及び交換を望む主催者側の要望に応えられない。
【０００８】
（ｃ）運用開始前又は運用開始後の検査では、不具合表示ユニットの位置を正確に絞り込むことが難しく、おおよその場所を特定することしかできない。
【０００９】
（ｄ）そのため、主催者側で望む時間（例えば、３０分）以内で不具合表示ユニットを検出して交換することが難しかった。
【００１０】
本発明は、運用中に、再現性の低い不具合も含めた不具合表示ユニットを正確に特定することを可能にする大型表示装置、不具合表示パネルの検出システム、不具合表示パネルの検出方法及びプログラムを提供することを目的とする。
【課題を解決するための手段】
【００１１】
本発明の第１の側面の大型表示装置は、入力される運用データを送出データとして出力すると共に、撮像装置からの映像信号から撮像データを生成する制御装置と、光の三原色からなる画素により構成された交換可能な表示パネルの集合であり、前記送出データに基づいて表示を行う大型表示盤と、を有し、前記制御装置は、前記送出データを数値化した送出データ輝度値が、前記送出データを用いて大型表示盤に表示された表示画面をカメラで撮影した映像信号から生成した撮像データを数値化した撮像データ輝度値に前記画素の許容される不具合を考慮した閾値を加えた範囲外であるときに不具合表示パネルと判定することを特徴とする。
【００１２】
第２の側面の不具合表示パネルの検出システムは、前記大型表示装置と、前記大型表示盤に表示された表示画面を撮影して映像信号を前記制御装置へ出力する撮像装置と、前記送出データ輝度値及び前記撮像データ輝度値を算出すると共に、前記送出データ輝度値が前記撮像データ輝度値に前記閾値を加えた範囲内であるか否かで、不具合表示パネルを検出するコンピュータと、前記コンピュータにより検出された不具合表示パネルを確認するモニタと、を備えることを特徴とする。
【００１３】
第３の側面の不具合表示パネルの検出方法は、送出データの階調値に、光の三原色毎に画像制御のホワイトバランス値と、盤面輝度段階値と、を掛け合わせて送出データ輝度値を算出する第１処理と、前記送出データを用いて大型表示盤に表示された表示画面を撮像装置で撮影した撮影信号から生成した撮像データの階調値に、前記撮像装置の光の三原色毎のホワイトバランス値と、盤面輝度段階値と、を掛け合わせて撮像データ輝度値を算出する第２処理と、前記表示パネル内の設定された許容される不具合ドット数に基づいて閾値を算出する第３処理と、前記送出データ輝度値が、前記撮像データ輝度値に前記閾値を加えた範囲内であるか否かで不具合表示パネルを検出する第４処理と、を有することを特徴とする。
【００１４】
第４の側面のプログラムは、前記第１処理〜前記第４処理をコンピュータに実行させるものである。
【発明の効果】
【００１５】
本発明によれば、送出データを数値化した送出データ輝度値が、送出データを用いて大型表示装置に表示された表示画面をカメラで撮影した映像信号から生成したカメラデータを数値化したカメラデータ輝度値に発光素子の許容不具合を考慮した閾値を加えた範囲内であるか否かで表示パネルの不具合を特定している。そのため、運用中に、不具合表示パネルを正確に特定することができる。
【図面の簡単な説明】
【００１６】
【図１】本発明の実施形態における不具合表示パネルの検出システムを示すシステム構成図である。
【図２】図１中のパソコン３３により実現される不具合表示パネルの検出システムの概略を示す機能構成図である。
【図３】現行の不具合表示パネルの検出システムを示すシステム構成図である。
【図４】現行システムにおけるテスト表示による不具合表示パネルの検出を説明する図である。
【図５】現行システムにおけるドット不良検出機能による不具合表示パネルの検出を説明する図である。
【図６】本発明の不具合表示パネルの検出システムのブロック図である。
【図７】送出データの数値化、カメラデータの数値化、及び閾値の設定の例を示す図である。
【図８】格子目付加制御の内容を説明する図
【図９】不具合表示パネル検出時の大型表示盤及び確認モニタの画面表示を示す図である。
【図１０】本発明の実施形態の不具合表示パネルの検出処理を示すフローチャートである。
【発明を実施するための形態】
【００１７】
以下、図面に従って本発明の実施形態を説明する。
（実施形態の構成）
図１は、本発明の実施形態における不具合表示パネルの検出システムを示すシステム構成図である。なお、本実施形態として撮像装置をカメラとした例について説明するが撮像装置はカメラに限定されない。
【００１８】
本発明の不具合表示パネルの検出システムは、制御装置１０、大型表示盤２０、カメラ３０、送出モニタ３１、カメラモニタ３２、パーソナルコンピュータ（パソコン）３３、及び確認モニタ３４を備えている。
【００１９】
制御装置１０は、入力される運用データを送出データとして大型表示盤２０へ出力する装置である。制御装置１０には、送出データに基づいて大型表示盤２０の表示部２１に表示される表示内容をモニタリングする送出モニタが接続されている。
【００２０】
大型表示盤２０は、制御装置１０から入力される送出データに基づいて表示を行う装置であり、送出データに基づいて表示を行う表示部２１を有している。表示部２１は、赤（Ｒ）・緑（Ｇ）・青（Ｂ）からなる画素により構成された交換可能な複数の表示パネル２２ａ，・・・，２２ｎの集合により構成されている。
【００２１】
更に、制御装置１０は、大型表示盤２０の表示部２１に表示された表示内容をカメラ３０で撮影した映像信号が入力され、この映像信号からカメラデータと映像データを生成している。映像データがカメラモニタ３２へ出力され、カメラモニタ３２の画面上でカメラ３０により撮影した映像がモニタリングされる。
【００２２】
パソコン３３は、制御装置１０から入力される送出データとカメラデータとに基づいて、不具合表示パネルを検出するものであり、確認モニタ３４へ不具合表示パネルの検出結果を出力する。確認モニタ３４は、パソコン３３から入力された検出結果に基づいて不具合表示パネルを表示するものである。
【００２３】
カメラ３０は、大型表示盤２０の表示部２１に表示内容を撮影して、撮影した映像信号を制御装置１０へ出力するものである。
【００２４】
パソコン３３は、制御装置１０から入力される送出データとカメラデータとを対比して不具合表示パネルを検出する不具合表示パネル検出部として機能するものである。確認モニタ３４は、パソコン３３により検出された不具合表示パネルの検出結果を確認するものである。
【００２５】
図２は、図１中のパソコン３３により実現される不具合表示パネルの検出システムの概略を示す機能構成図である。
【００２６】
本発明の不具合表示パネルの検出システムは、送出データを数値化して送出データ輝度値を生成する送出データ数値化手段４１と、カメラデータを数値化してカメラデータ輝度値を生成するカメラデータ数値化手段４２と、画素の許容される不具合を考慮して閾値を設定する閾値設定手段４３と、送出データ輝度値とカメラデータ輝度値と閾値とから不具合表示パネルの箇所を特定する表示不具合箇所特定手段４４と、特定された不具合表示パネルを強調して表示する不具合箇所表示手段４５と、を有している。不具合箇所表示手段４５の出力には、確認モニタ３４が接続されている。
【００２７】
図２に示された機能構成は、ハードウェアにより構成してもよいし、パソコン３３内の図示しないＣＰＵにプログラムを読み込ませることにより、後述する処理を実行させるようにしてもよい。
【００２８】
（実施形態の動作）
本発明の実施形態１における動作について、（Ｉ）現行の不具合表示パネルの検出システムと、(II) 本発明の不具合表示パネルの検出システムと、（III）本発明の実施形態の不具合表示パネルの検出処理と、に分けて説明する。
【００２９】
（Ｉ）現行の不具合表示パネルの検出システム
図３は、現行の不具合表示パネルの検出システムを示すシステム構成図であり、図１と共通の要素には共通の符号が付されている。
【００３０】
図３中の送出モニタ３１が、現行の不具合表示パネルの検出システムにおける不具合表示パネル検出部として機能する。即ち、図３の大型表示盤２０内の表示パネル２２ａの文字「ｂ」の位置に黒塗りの四角で示された不具合部分がある場合、送出データ３１の画面上で、不具合箇所を特定する。
【００３１】
図４（ａ），（ｂ）は、現行システムにおけるテスト表示による不具合表示パネルの検出を説明する図である。
【００３２】
図４（ａ）には、不具合ＬＥＤユニットが表示されているが、格子目及びアドレステストパターンが表示されていないので、不具合ＬＥＤユニットの位置を正確に特定することができない。一方、図４（ｂ）には、格子目及びアドレステストパターンが重畳されて表示されているので、不具合ＬＥＤユニットの位置を格子目及びアドレステストパターンにより、アドレス「１１Ｆ」と正確に特定することができる。
【００３３】
図５（ａ），（ｂ）は、現行システムにおけるドット不良検出機能による不具合表示パネルの検出を説明する図である。
【００３４】
図５（ａ）には、不具合ＬＥＤユニットが表示されているが、不具合ＬＥＤユニットの位置を正確に特定することができない。一方、図５（ｂ）において、ドット不良検出プログラムが開始されると、白点灯のパターンが矢印で示された方向に走査され、不具合ＬＥＤユニットは、制御回路に電流が流れないことから、Ｘ軸及びＹ軸上の電流又は電圧の変化点から表示部２３上の不具合ＬＥＤの箇所を特定する。
【００３５】
大型表示盤２０の運用中は、映像表示やデータ表示等のスケジュール又は人為的な操作により表示を行うため、現行の方法で不具合ＬＥＤユニットの箇所を特定するのは、運用開始前又は運用終了後となる。しかし、ＬＥＤユニットの不具合の中には、運用中に時々不点灯になり、自動復旧するような再現性の低い温度依存性がある不具合等もあり、このような不具合は、運用開始前又は運用終了後に行われる現行の方法では、特定が難しかった。
【００３６】
(II) 本発明の不具合表示パネルの検出システム
図６は、本発明の不具合表示パネルの検出システムのブロック図であり、図７は、送出データの数値化、カメラデータの数値化、及び閾値の設定の例を示す図である。
【００３７】
以下、不具合表示ユニットの特定方法について、図１、図２、図６及び図７を参照しつつ、説明する。
【００３８】
ＬＥＤユニットの不具合は、ＬＥＤ表示ユニットを構成しているＲ，Ｇ，Ｂ素子の輝度（明るい、暗い）で判定が可能なため、送出データとカメラデータとを数値化して比較することで不具合箇所を特定する。
【００３９】
図６において、運用データが入力されると、制御装置１０内のデータ展開１１、画像処理１２及び照度センサ１３ａに応じた盤面輝度段階展開１３ｂの各処理が行われ、送出データがパソコン３３に出力される。
【００４０】
パソコン３３に入力された送出データは、送出データ数値化手段４１内の数値化４１ａにより送出データ輝度値に変換され、メモリ４１ｂに時系列なロギングデータとして蓄積される。
【００４１】
図１において、大型表示盤２０内の表示部２１の各表示パネル２２ａ，・・・２２ｎ上に、制御装置１０から入力された送出データに基づく内容が表示される。この表示内容をカメラ３０で撮影した映像信号が制御装置１０へ入力される。制御装置１０は、入力された映像信号からカメラデータを生成する。
【００４２】
図６において、映像信号が入力されると、制御装置１０内のデータ展開１４及び画像処理１５の各処理が行われ、カメラデータがパソコン３３へ出力される。パソコン３３に入力されたカメラデータは、カメラデータ数値化手段４２内の数値化４２ａによりカメラデータ輝度値に変換され、メモリ４２ｂに時系列なロギングデータとして蓄積される。
【００４３】
パソコン３３内の閾値設定手段４３で、ドットの製造ばらつきや見た目から許容されるドット不具合数等の閾値の条件が設定される。不具合箇所特定手段４４は、メモリ４１ｂに蓄積されている送出データのロギングデータとメモリ４２ｂに蓄積されているカメラデータのロギングデータとを、両ロギングデータ内に埋め込まれたタイムスタンプ調整により時間合わせをする。更に、不具合箇所特定手段４４は、時間合わせをした両ロギングデータにおける輝度値について閾値を考慮して比較して不具合表示パネルを特定する。
【００４４】
先ず、送出データの数値化４１ａについて説明する。
送出データは、送出データの階調度と、画像制御のホワイトバランス値（Ｗバランス値）、盤面輝度段階値にて数値化して送出データ輝度値を算出する。ホワイトバランスとは、白い被写体が白く写るように調整することであり、このように調整するために、Ｒ，Ｇ，Ｂの輝度に割り振られた値をＷバランス値という。
【００４５】
送出データ輝度値は、以下の式により算出される。
Ｒ輝度値＝ＷバランスのＲ輝度値×（ａ／最大表示階調制御数）×（ｂ／盤面輝度段階）
Ｇ輝度値＝ＷバランスのＧ輝度値×（ａ／最大表示階調制御数）×（ｂ／盤面輝度段階）
Ｂ輝度値＝ＷバランスのＢ輝度値×（ａ／最大表示階調制御数）×（ｂ／盤面輝度段階）
但し、ａは現在の表示階調値であり、ｂは現在の盤面輝度階調値である。
【００４６】
図７（ａ）には、送出データ輝度値を算出した例が示されている。図７（ａ）に示された例では、Ｒ，Ｇ，ＢのＷバランス値は、最大輝度5000cd/m２に対して、それぞれ1500/5000，3000/5000，500/5000であり、Ｒの輝度：Ｇの輝度：Ｂの輝度の比率は、３：６：１に設定されている。Ｒ，Ｇ，Ｂの現在の表示階調値ａは、最大表示階調4096階調に対して、それぞれ1000/4096，1250/4096，2048/4096である。Ｒ，Ｇ，Ｂの現在の盤面輝度段階値ｂは、最大盤面輝度64段階に対して、全て32/64に設定されている。
【００４７】
Ｗバランス値、現在の表示階調値ａ、現在の盤面輝度階調値ｂに対するＲ，Ｇ，Ｂの送出データ輝度値は、それぞれ0.0366，0.0916，0.0250となる。
【００４８】
次に、カメラデータの数値化４２ａについて説明する。
制御装置１０は、カメラ３０で撮影された映像信号からカメラデータを生成し、送出データを数値化するパソコン３３に入力される。パソコン３３は、入力されたカメラデータに、カメラ３０本体で設定可能なＷバランス値と、パソコン３３で設定可能なカメラ映像のＰＣ取込値と、カメラデータ盤面輝度段階を掛けて、カメラデータ輝度値を算出する。
【００４９】
図７（ｂ）には、カメラデータ輝度値を算出した例が示されている。図７（ｂ）に示された例では、Ｒ，Ｇ，Ｂのカメラ本体のＷバランス設置値は、１００％に対し、それぞれ４０／１００，５０／１００，１０／１００であり、Ｒの輝度：Ｇの輝度：Ｂの輝度の比率は、４：５：１に設定されている。Ｒ，Ｇ，Ｂのカメラ映像ＰＣ取込値は、最大表示階調4096階調に対して、それぞれ800/4096，1000/4096，1700/4096である。Ｒ，Ｇ，Ｂの現在の盤面輝度段階値ｂは、最大盤面輝度64段階に対して、全て32/64に設定されている。
【００５０】
カメラ本体のＷバランス値、カメラ映像のＰＣ取込値、カメラデータ盤面輝度段階に対するＲ，Ｇ，Ｂのカメラデータ輝度値は、それぞれ0.039，0.061，0.021となる。図７（ｂ）中の32/64時のカメラ補正係数は、図７（ａ）の送出データ輝度値から図７（ｂ）のカメラデータ輝度値を減じた値であり、図７（ｂ）に示されたＲ，Ｇ，Ｂの32/64時のカメラ補正係数は、それぞれ、-0.0024，0.0305，0.0042である。
【００５１】
なお、32/64時のカメラ補正係数は、０に近づくように、図７（ｂ）中のカメラ本体のＷバランス設定値、カメラ映像のＰＣ取込値、カメラデータ盤面輝度段階を設定する。32/64時のカメラ補正係数が０になるように、カメラ本体のＷバランス設定値、カメラ映像のＰＣ取込値、カメラデータ盤面輝度段階を設定できれば、送出データ輝度値とカメラデータ輝度値は等しくなる。
【００５２】
次に、閾値の設定４３について説明する。
不具合箇所を確認モニタ３４に表示し、不具合ドット数（不具合検出値）を設定し、１ドットの輝度に不具合ドット数を掛け合わせた値に、ドット補正値（ＬＥＤ本来の輝度ばらつきを均一に補正する機能）を掛け合わせて閾値を算出する。
【００５３】
図７（ｃ）には、閾値を設定した例が示されている。図７（ｃ）に示された例では、Ｒ，Ｇ，Ｂのドット輝度の数値化は、最大表示階調4096段階に対し、それぞれ８／４０９６，１２／４０９６，４／４０９６に設定されている。ドットの製造ばらつきを補正するＲ，Ｇ，Ｂのドット補正値は、3/100，2.5/100、2.5/100に設定されている。更に、システム管理者が、いくつのドットが切れたら不具合表示ユニットとするかを任意設定するドット不具合数は４に設定されている。
【００５４】
ドット輝度の数値化、ドット補正値、ドット補正値、ドット不具合数に対するＲ，Ｇ，Ｂの閾値は、それぞれ0.0002，0.0003，0.0001となる。
【００５５】
次に、不具合箇所の特定について説明する。
カメラデータは、送出データに基づいて大型表示盤２０の表示部２１に表示された表示内容をカメラ３０で撮影した映像信号から生成されるデータである。そのため、カメラデータと送出データとは時間がずれているが、両データ内に埋め込まれたタイムスタンプを合わせた上で、カメラデータ輝度値と送出データ輝度値を比較することで、不具合表示ユニットを特定することができる。
【００５６】
正常時は、
（カメラデータ輝度値−閾値）≦送出データ輝度値≦（カメラデータ輝度値＋閾値）
の関係となり、ＬＥＤがショートモードの不具合時は、
送出データ輝度値＜（カメラデータ輝度値−閾値）
の関係となり、ＬＥＤがオープンモードの不具合時は、
（カメラデータ輝度値＋閾値）＜送出データ輝度値
の関係となる。
【００５７】
カメラデータと送出データとの時間合わせをした上で、カメラデータ輝度値と送出データ輝度値を比較することで、不具合表示ユニットを特定することができる。
【００５８】
最後に、不具合表示パネル箇所の確認モニタ３４への表示について説明する。
図８は、格子目付加制御の内容を説明する図であり、図９は、不具合表示パネル検出時の大型表示盤及び確認モニタの画面表示を示す図である。
【００５９】
図８を見ると、大型表示盤２０の表示部２１の画面上には、送出データに基づいた「１２３４５」「ａｂｃｄｅ」「あいうえお」の三段の文字が表示されている。一方、確認モニタ３４の画面上には、大型表示盤２０の表示部２１の画面上に表示されているものと同じ送出データにＬＥＤパネル構成ｐｉｘｅｌ単位の枠を重畳したデータに基づいた表示がされている。
【００６０】
図９を見ると、大型表示盤２０の表示部２１の画面上に表示された文字「ｃ」の箇所に黒塗りの四角形で表された不具合が発生している。確認モニタ３４の画面上には、大型表示盤２０の表示部２１の画面上の表示内容をカメラ３０で撮影して特定した不具合箇所が白抜きの四角で重ねて表示されている。
【００６１】
図８及び図９に示したように、カメラデータ輝度値と送出データ輝度値を比較することで特定した不具合表示ユニット部分を確認モニタ３４の画面上に表示することで、システム管理者に不具合表示ユニットを正確に通知する。
【００６２】
（III）本発明の実施形態の不具合表示パネルの検出処理
図１０は、本発明の実施形態の不具合表示パネルの検出処理を説明する図である。
図２及び図６を参照しつつ、図１０に示されたフローチャートに沿って、本発明の実施形態の不具合表示パネルの検出処理について説明する。
【００６３】
処理が開始されると、ステップＳ１へ進み、ステップＳ１において、送出データ数値化手段４１は、入力された送出データを数値化して送出データ輝度値を生成し、ステップＳ２へ進む。ステップＳ２において、パソコン３３内の図示しないメモリに送出データ輝度値を送出ロギングデータとして蓄積し、ステップＳ３へ進む。
【００６４】
ステップＳ３において、カメラデータ数値化手段４２は、入力されたカメラデータを数値化してカメラデータ輝度値を生成し、ステップＳ４へ進む。ステップＳ４において、パソコン３３内の図示しないメモリにカメラデータ輝度値をカメラロギングデータとして蓄積し、ステップＳ５へ進む。
【００６５】
ステップＳ５において、閾値設定手段４３は、閾値を設定し、ステップＳ６へ進む。ステップＳ６において、送出データとカメラデータとのタイムスタンプの調整が行われ、ステップＳ７へ進む。
【００６６】
ステップＳ７において、不具合箇所特定手段４４は、送出データ輝度値が（カメラデータ輝度値±閾値）の範囲内か否かが判定され、範囲以内であれば（Ｙｅｓ）、処理を終了し、範囲外であれば（Ｎｏ）、ステップＳ８へ進む。
【００６７】
ステップＳ８において、不具合箇所特定手段４４は、不具合箇所表示手段４５へ不具合判定されたデータ箇所を通知し、ステップＳ９へ進む。ステップＳ９において、格子目付加機能が選択されると、制御装置１０は、格子目が重畳された送出データを生成し、ステップＳ１０へ進む。
【００６８】
ステップＳ１０において、制御装置１０による指定に従って、確認モニタ３４、送出モニタ３１又は大型表示盤２０の表示部２１の何れかに、交換ユニット単位の格子目により仕切られた画面上に不具合表示ユニットを表示し、処理を終了する。
【００６９】
（実施形態の効果）
本発明の実施形態によれば、送出データを数値化した送出データ輝度値が、送出データを用いて大型表示盤に表示された表示画面をカメラで撮影した映像信号から生成したカメラデータを数値化したカメラデータ輝度値に画素の許容される不具合を考慮した閾値を加えた範囲内であるか否かで不具合表示パネルを検出するようにしている。そのため、運用中に、不具合表示パネルを正確に特定することができる。
【００７０】
更に、送出データ輝度値及びカメラデータ輝度値のロギングデータを用い、両ロギングデータ中のタイムスタンプを調整して時間合わせをして比較判定をしているので、運用中に不点灯の不具合が発生し、直ぐ復旧してしまうような再現性の低い表示パネルの不具合の箇所も、運用中に正確に特定することが可能になる。
【００７１】
以上、本発明の実施形態について説明したが、本発明は、以上に述べた実施形態に限定されるものではなく、本発明の要旨を逸脱しない範囲内で種々の構成又は実施形態を取ることができる。
【符号の説明】
【００７２】
１０                                          制御装置
２０                                          大型表示盤
２１                                          表示部
２２ａ，・・・，２２ｎ                        表示パネル
３３                                          パソコン
３４                                          確認モニタ
４１                                          送出データ数値化手段
４２                                          カメラデータ数値化手段
４３                                          閾値設定手段
４４                                          不具合箇所特定手段
４５                                          不具合箇所表示手段
【図１】
2015171051.tif 000003
【図２】
2015171051.tif 000004
【図３】
2015171051.tif 000005
【図４】
2015171051.tif 000006
【図５】
2015171051.tif 000007
【図６】
2015171051.tif 000008
【図７】
2015171051.tif 000009
【図８】
2015171051.tif 000010
【図９】
2015171051.tif 000011
【図１０】
2015171051.tif 000012